(57)【特許請求の範囲】
【請求項１】
室内側開口と室外側開口を有し、この間に前記室内側開口からの風路と、前記室外側からの風路を略直角に連通形成して本体を構成し、前記室外側開口からの風路を回転して開閉するダンパーを本体内に設け、前記ダンパーの回転軸方向を前記室内側開口方向に設け、前記ダンパーは風路を開閉するシャッター面を回転軸に対して直角な室内側開口方向から見た平面に形成される直角に交差する中心線の一方に平行にして、他方の中心線方向に回転軸中心から所定の距離だけ離れた位置に形成したことを特徴とする給排気口。
【請求項２】
前記ダンパーは一端側を本体に回転可能に支持される支持部を設け、他端側にダンパーを回転するために回転力を伝える操作部を設けたことを特徴とする請求項１に記載の給排気口。
【請求項３】
前記本体内に風量を調節するダンパーの開閉位置を保持する位置決め手段を室外側開口付近に設けたことを特徴とする請求項１に記載の給排気口。
【請求項４】
前記ダンパーは、前記支持部を本体の奥側とし、前記操作部を室内側開口側としたことを特徴とする請求項２に記載の給排気口。
【発明の詳細な説明】
【０００１】
【発明の属する技術分野】
【従来の技術】
図９は特開平１１−１４１３１に示された従来の給排気口の構造例である。ダンパーを上下にスライドして給排気口風路の開閉を行うものである。
図において、給排気口の本体１ａは一方に室内側に開口する室内側開口１ｋを有し、他方に室外側に開口してダクトに接続される接続側開口１ｍを有して、前記室内側開口１ｋと接続側開口１ｍとの間に風路を構成している。
室内側開口１ｋからの風路方向と接続側開口１ｍからの風路方向は直角に曲っている。
【０００２】
本体１ａの内部には風路の開閉をするダンパー６が接続側開口１ｍからの風路方向に対して直角にスライドして開閉するように設けられている。
ダンパー６は平板状に形成され、ほぼ中央付近に２本の平行な長穴である溝２２を有し、室内側開口１ｋ側になる端部には開閉操作をするため掴むことができる曲げ部２３が設けられている。溝２２の長さはダンパー６が接続側開口１ｍを全閉から全開するだけの長さを有している。また、ダンパー６が接続側開口１ｍを全開したときは接続側開口１ｍの周縁と室内側開口１ｋとの間に収まるように空間が確保されている。
【０００３】
ダンパー６は両端がリブ１１に支えられ、中央に設けられた溝２２に専用に成形されたバネ７が係止されて、バネ力でリブ１１に押えられている。
室内側開口１ｋ側の周囲には取付けのためのフランジ１ｄが形成され、このフランジ面に壁２０の取付穴１９に固定するための取付ネジ５及び固定金具４が設けられている。
フランジ１ｄの室内側には開口２ｂを有するグリル２が取付けられ覆っている。
【０００４】
このように構成された給排気口は壁２０の取付穴１９に本体１ａを挿入して取付けネジ５を回して固定金具４を締め付けて固定され、接続側開口１ｍ側には室外に連通するダクトが接続される。
給排気風量の調節はダンパー６を摺動させて接続側開口１ｍの開口面積の大きさを調整する。ダンパー６はバネ７のバネ力により押えられて調整された位置で固定される。
【０００５】
また、給排気口本体１ａを壁に固定する別な方法として、取付けネジ５のみで壁２０に直接締め付けて固定する方法も行われているが、この場合、使用する取付けネジ５はフランジ部１ｄにリブ（図示せず）を設けてそのリブの間に取付けネジ５をテープ等で固定して同梱している。
【０００６】
【発明が解決しようとする課題】
しかし、このように構成された給排気口は、ダンパーが開いたときに、ダンパーを納めるための長さ方向の空間とスプリングを納める空間が必要となり、給排気口本体の長さ方向の寸法が大きくなり、壁面内等の奥行き寸法の小さい場所に給排気口が取付かなくなるという課題がある。
【０００７】
また、この構造では、ダンパー構造が複雑で特殊部品を必要とし、組立に時間が掛かるという課題がある。
【０００８】
また、施工現場では給排気口を取付ける壁などの開口部の形状は丸形や正方形が加工される。このため、開口部の形状の違いにより、開口部との間の隙間の差が大きくなると、開口部の一端が室内から見えないようにするため、施工者は位置修正など注意を払う必要があり施工性が悪く、また、必要以上に本体のフランジを大きくして隙間を隠さなければならないといった課題がある。
【０００９】
また、本体を壁面等にネジで締付固定するためのネジを本体のフランジ面にリブを設け、ネジを寝かしてテープ止めを行う。しかし、この方法では、ネジを寝かせるために広いフラットな平面が必要であり、フランジの厚さや幅寸法を大きくしなければなららないという課題がある。
【００１０】
本発明は、このような課題を解決するためになされたもので、ダンパーを納めるための空間を小さくして本体を小さくし、壁面等の奥行き寸法の小さい場所に取付けることができ、専用のスプリング等を必要としないダンパー構造を実現し、また、本体のフランジの厚さ、大きさを小さくして意匠性をよくして、また、壁などの取付穴の開口部形状が丸形と正方形の両方に取付けることを実現した給排気口を得るものである。
【００１１】
【課題を解決するための手段】
本発明は、室内側開口と室外側開口を有し、この間に前記室内側開口からの風路と、前記室外側からの風路を略直角に連通形成して本体を構成し、前記室外側開口からの風路を回転して開閉するダンパーを本体内に設け、前記ダンパーの回転軸方向を前記室内側開口方向に設け、前記ダンパーは風路を開閉するシャッター面を回転軸に対して直角な室内側開口方向から見た平面に形成される直角に交差する中心線の一方に平行にして、他方の中心線方向に回転軸中心から所定の距離だけ離れた位置に形成したものである。
【００１２】
また、前記ダンパーは一端側を本体に回転可能に支持される支持部を設け、他端側にダンパーを回転するために回転力を伝える操作部を設けたものである。
【００１３】
また、前記本体内に風量を調節するダンパーの開閉位置を保持する位置決め手段を室外側開口付近に設けたものである。
【００１４】
また、前記ダンパーは、前記支持部を本体の奥側とし、前記操作部を室内側開口側としたものである。
【００１５】
【発明の実施の形態】
実施の形態１．
本発明の実施の形態１を図１から図４を用いて説明する。図１は給排気口を示す断面図、図２はその一部破断正面図、図3はダンパーの平面及び側面図、図4はダンパー支持部の拡大断面図である。
図において、給排気口３０は本体３１の部分とグリル３２の部分から構成されている。
【００１６】
本体３１は室内に連通して開口する室内側開口３３と、ダクトを接続して室外に連通する室外側開口３４を有し、この間に通気用の風路３５を形成している。風路３５は室内側風路３５ａと室外側風路３５ｂとが本体３１内で直角に曲って形成されている。風路３５が曲る本体の部分には風路の損失をすくなくするために風がながれ易くなるようにＲ面３０ａが構成されている。
【００１７】
本体３１の室内側開口３３の周辺には壁３６に取付け固定する為のフランジ３７が構成されている。フランジ３７は壁面側が平面状になって壁に密着するようになっており、また、室内側にはフランジ３７の強度を高めるために所定の高さを有するリブ３７ａが構成されている。取付穴３７ｂはフランジ３７を壁３６に固定するためのネジを締め付ける長い穴で４ヶ所設けられている。フランジ３７の外周形状は丸形や正方形となっている。
【００１８】
一方、室外側開口３４の周辺にはダクトを接続する円筒状の接続部３８が構成されている。
本体３１の内部には風路３５の開閉及び風量調節を行なうダンパー４０が設けられている。
【００１９】
ダンパー４０はめっき鋼板やアルミ板等の金属板を打ち抜き曲げ等の加工をして作られた平板形状をしており、室外側開口３４の室内側開口３３側の端面３４ａの開口面を閉じるシャッター部分４１とダンパーを本体に可動可能に支持する支持部４２とダンパーを手で回して操作する操作部４３とから構成されており、これらの位置関係はシャッター部分４１を挟むようにしてシャッター部分４１の両側に支持部４２と操作部４３が構成されている。
【００２０】
シャッター部分４１は室外側開口３４の開口の半径より０．５ｍｍ小さいｒの面４１ａと１ｍｍ大きいＲの面４１ｂを有している。面４１ａのｒの部分はダンパー４０が回動して閉じたり、開いたりするとき、室外側開口３４の内側に接触しないように小さくなっている。また、閉じたときには室外側開口３４の内側とｒの部分にわずかな隙間をでかし、少量の通気量が常時維持される。
また、面４１ｂのＲの部分は閉じたとき端面３４ａに重なって室外側開口３４を塞ぐようになっている。
なお、４１ｂのＲは４１ａのＲと同じか、小さくして常時維持する通気量を多くすることができる。
【００２１】
支持部４２はシャッター部分４１に対して連接して直角に曲げられて、丸い外径４２ａに取付けのための取付穴４２ｂが同心に構成されている。外径４２ａの大きさは後述するプレロードスプリングの外径より大きい。
操作部４３はシャッター部分４１に支持部４２と反対方向に所定の幅を有した延設部４３ａを設け、その先端部４３ｂをＬ形状にして構成されている。ダンパー４０を回動するときはこの先端部４３ｂを掴んで操作する。
【００２２】
このように構成されたダンパー４０の支持部４２から操作部４３の先端までの長さは本体３１内部のダンパー４０の取付け面４５ｂからフランジ３７までになるので手で掴み易く操作が容易にできる。
ダンパー４０の取付けは、本体３１内部の室外側開口３４近傍の奥に設けられた支持部４５の支持軸４５ａにダンパーの支持部４２の取付穴４２ｂを通し、プレロードスプリング４６及び座金４７とともにネジ４８で締めつけ固定する。
【００２３】
プレロードスプリング４６は圧縮されてそのばね力によりダンパーの支持部４２を取付面４５ｂに押え付けダンパー４０のガタ付きを押えている。
プレロードスプリング４６は全圧縮されておらず圧縮余地を有しているので、ダンパー４０は支持軸４５ａの軸方向に可動する余裕があり回動することができ、任意の位置で止めることができる。任意の位置で止められたダンパー４０はプレロードスプリング４６のばね力による取付面４５ｂとの摩擦力で固定維持される。
【００２４】
支持部４５の支持軸４５ａは、この中心が室外側開口３４の中心からの寸法Ｘがダンパー４０の支持部４２の中心とシャッター部分４１の中心との距離寸法ｘと等しく、また、室外側開口３４の端面３４ａからの寸法Ｙがダンパー４０の支持部４２の中心とシャッター部分４１の面からの距離寸法ｙと同等になる位置に設けられているのでダンパー４０を閉じたときシャッター部分４１の面は端面３４ａに接面する。
【００２５】
また、支持軸４５ａの取付面４５ｂから先端までの長さはネジ４８を締め付けたときプレロードスプリング４６を全圧縮しないようにダンパー４０の支持部４２の厚みとプレロードスプリング４６の板厚と座金４７の厚みの合計より長くなって軸方向にダンパー４０に遊びを持たせている。
【００２６】
グリル３２は本体３１を壁３６に取付けた後フランジ３７を覆って取付けられ、中央部分に通気のための開口を有した皿状のもので、フランジ３７の外周部に嵌まり固定される。
【００２７】
このように構成された給排気口３０は室内と室外をダクトで連通して給排気を行なうために壁３６に取付穴３６ａをあけて取付けられる。
給排気口３０を取付ける施工方法は、壁３６に取付けのための取付穴３６ａを明け、予め壁３６内に配管されたフレキシブルダクトを室内側に引き出し、室内側で給排気口３０の接続部３８を接続して、その接続部分にアルミテープ等を巻いた後、フレキシブルダクトを壁内に押し戻し、給排気口３０の本体３１をフランジ３７が壁面に密着するようにネジを用いて壁面に締め付け固定する。次にダンパー４０を操作部４３を掴んで回して室外開口面積を必要な給排気風量が得られるように調整する。調整が完了したらグリル３２をフランジ３７にはめ込み工事が完了する。
【００２８】
風量の調節はグリル３２を取り外せばダンパー４０の操作部４３がフランジ面の位置にあるので手で掴み易く室内側から容易に操作できる。
ダンパー４０はプレロードスプリング４６による保持力で支えられて、ガタ付きを防止し、ダンパーを閉じた場合でも半開き状態にした場合でも風圧で簡単にダンパー４０開いたり動くことがない。また、本体３１の取付方向が室外側開口３４の方向を上下左右の任意の方向してもダンパーがガタ付いたり、自然に動いたりせずビビリ音の発生なども抑えられている。
【００２９】
ダンパー４０は平板形状にて板材で製作できるため、製作が容易で、金型費用等も安くできる。また、ダンパー４０の支持方法はネジを一本締めるだけででき、ばね部品も標準部品が使用でき、組立ても簡単にできる。
ダンパー４０は室外側開口３４の前で回転するだけであるため、スライド式のように全開時のダンパー収納スペースを必要とせず、本体３１を短くコンパクトにでき、壁面の中等の奥行き寸法の小さい場所に給排気口を取付けることができる。なお、本実施の形態では壁面の取り付けとして説明してきたが空間の狭い天井や床などに取り付ける場合でも有効であることは同じである。
【００３０】
実施の形態２．
実施の形態２としてダンパーの開閉位置を決める方式について図５、図6を用いて説明する。以下説明以外の部分は実施の形態１と同じであり詳細説明は省略する。
図において、５０は本体奥の室外側開口３４正面中央付近のダンパー４０のシャッター部分４１が回動する軌道に沿って円弧状に設けられたダンパー４０の位置を決め保持する位置決め手段で、円弧状のリブ５１とそのリブの端面から突出する所定間隔で設けられた複数の突起５２及びストッパー５２ａから構成されている。突起５２は先端が丸く球状に形成されている。
【００３１】
ストッパー５２ａはリブ５１の室外側開口３４と反対側の端に設けられて、リブ５１からの突き出し長さがダンパー４０が乗り越えないように長くしてあり、ダンパー４０の開方向の回転限界位置の最終端を規制して、これ以上ダンパー４０が回転しないようにしたストッパーである。
ストッパー５２ａの位置はダンパー４０が全開した位置で、シャッター部分４１の面が室外側開口３４の風路方向と平行になり風路の圧損を最小にしている。もし、ストッパーがなくダンパー４０がこれ以上回転すると、風路の圧損が増加する。
【００３２】
ダンパー４０のシャッター部分４１の支持部４２側には突起５２に干渉する直線状の干渉部５３が設けられており、この部分が突起５２と突起５２との間に位置することによりダンパー４０の開閉位置が保持される。干渉部５３と突起５２との関係は、干渉部５３の端面５３ａは突起５２の先端よりリブ５１に近い位置にあり、その干渉量（重なり量）ｋによってダンパー４０の移動が制限される。
【００３３】
このように構成した給排気口は給排気量を調整したいときダンパー４０の操作部４３を手で持って所定の位置まで回転させると、その回転力によりダンパー４０の支持部４２が、プレロードスプリング４６が有している支持軸４５ａ方向の可動余裕分だけ動いて持ち上げられ、干渉部５３が逃げることにより干渉量ｋが０になり、ダンパー４０が突起５２の先端を乗り越えて移動し必要な位置まで動かすことができる。
ダンパー４０が突起５２の先端を乗り越えて所定の位置に移動すると干渉量ｋは元に復帰する。
【００３４】
ダンパー４０はこのように手では容易に動かすことが出きるが、外風等の力では突起５２を乗り越えて移動することがなく、設定した位置が保持される。突起５２で機械的に位置決めできるので、製品が大きくなってダンパーが大型になってもプレロードスプリング４６のばね力を強くすることなく位置決めが安定して保持できる。
【００３５】
また、ダンパー４０をプレロードスプリング４６のばね力と突起５２の両方で支えるので、給排気等の風圧でダンパー４０の振動やビビリ音が発生しにくい。
なお、干渉部５３の端部５３ａや突起５２の端部は滑らかなＲ部が形成されておりダンパー４０の動きを滑らかにするとともに摩耗をしないようにして操作性をよくしている。
【００３６】
実施の形態３．
実施の形態３として給排気口本体の施工位置を決める方式について図７を用いて説明する。図７は給排気口と壁の取付け穴との関係を示す。以下説明以外の部分は実施の形態１と同じであり詳細説明は省略する。
【００３７】
図において、５５は本体３１の外周にフランジ３７から室外側開口３４方向に伸びて形成されたリブで、本体３１の周囲８ヶ所に設けられている。リブ５５は壁等に設けられた取付穴３６ａの内面に接して本体３１と取付穴３６ａの中心をずれが小さくなるように概略合わせるものであるが、実際上の取付穴３６ａは丸形取付穴３６ｂと正方形取付穴３６ｃとがあり、リブ５５はこのどちらの形状にも機能するように設けられている。
【００３８】
具体的には丸形取付穴３６ｂと正方形取付穴３６ｃとの軌跡が交差する交差点３６ｄの位置（すなわち、中心からの位置が同じになる位置）にリブ５５が設けられている。リブ５５が８ヶ所設けてあるが、これは一辺に２ヶ所づつ設けたもので、２ヶ所づつ設けたことにより取付穴３６ａが正方形取付穴３６ｃの場合、取付け穴に対して本体３１が回転方向にずれようとしたとき、どちらか一方のリブが取付穴３６ａの内側に当接して本体３１の回転方向のずれを阻止する。これにより上下左右のどちらの方向に対しても丸形取付穴３６ｂと正方形取付穴３６ｃの内側にリブ５５が当接できるので中心のずれを小さく合わすことができる。
【００３９】
正方形取付穴３６ｃは丸形取付穴３６ｂの直径よりも１辺の寸法が小さい正方形となっており、これらの大きさ寸法は製品の大きさに応じて予め指定されて、交差点３６ｄがずれないように維持される。
【００４０】
このように構成された給排気口は壁３６に設けられた取付穴３６ａが丸形取付穴３６ｂであっても、正方形取付穴３６ｃであっても、リブ５５が取付穴の内側に当接してガタが少なくなり位置合わせができて、取付穴３６ａと給排気口の本体３１の中心のずれが小さくなり、取付穴の開口端３６ｅがフランジ３７の外側にはみ出ることがないので、位置調整が不要で取り付け作業が容易にできる。
【００４１】
また、取付穴の位置ずれを見越して必要以上に本体のフランジ３７を大きくする必要も無いので製品が小型にできる。
【００４２】
実施の形態４．
実施の形態４として給排気口本体外周部に部品保管機能を設けた例を説明をする。図８は給排気口本体の外周に本体を固定するためのネジを保管した図である。以下説明以外の部分は実施の形態１及び３と同じであり詳細説明は省略する。
図において、給排気口の本体３１外周の側面には、リブ５６ａ、５６ｂを所定の間隔で設け、そのフランジ３７側をリブ５６ｃでつないで袋状の閉塞部を設けて取付けネジ５７を収納できる収納部５６を形成している。
【００４３】
このように構成したことにより、その収納部５６に本体３１を壁面に固定するための取付けネジ５７の先端部を納め、収納部５６からはみ出るネジ頭付近のネジ山部を図に示すようにテープ止めすることにより、ネジを本体に付属する。このようにネジを立てて収納することにより、フランジにネジを寝かせるための広い平面や、ネジの固定位置を決めるためのリブ等が不要となり、フランジ３７の大きさが小さくできまた、フランジの厚みが薄くできる。
【００４４】
【発明の効果】
本発明によれば、室外側開口からの風路を回転して開閉するダンパーを本体内に設け、ダンパーの回転軸方向を室内側開口方向に設け、また、前記ダンパーはシャッター面を回転軸に対して直角な平面に形成される直角に交差する中心線の一方に平行にして、他方の中心線方向に回転軸中心から所定の距離だけ離れた位置に形成したことにより、片側支持のダンパーが得られダンパーの取付けが容易な給排気口が得られる効果がある。
【００４５】
また、ダンパーは一端側を支持部とし、他端側をダンパーを回転するために回転力を伝える操作部を設けたことによりダンパーの構成が簡単な給排気口が得られる効果がある。
【００４６】
また、ダンパーの位置決め手段を室外側開口付近に設けたので、簡単な構成の位置決め手段の給排気口を得られる効果がある。
【００４７】
また、ダンパーの支持部を本体の奥側とし、操作部を室内側開口側としたことにより手で操作が容易にできる給排気口を得られる効果がある。
【図面の簡単な説明】
【図１】本発明の実施の形態１の給排気口の断面図。
【図２】本発明の実施の形態１の給排気口の一部破断正面図。
【図３】本発明の実施の形態１のダンパー２面図。
【図４】本発明の実施の形態１のダンパー支持部の拡大断面図。
【図５】本発明の実施の形態２の給排気口の一部破断正面図。
【図６】本発明の実施の形態２のダンパーの位置決め手段の拡大図。
【図７】本発明の実施の形態３の給排気口と壁の取付穴の正面図。
【図８】本発明の実施の形態４の給排気口本体に部品を保管した2面図。
【図９】従来の給排気口の断面図。
【符号の説明】
３１  本体、  ３３  室内側開口、  ３４  室外側開口、  ３６ａ  取付穴、  ４０  ダンパー、  ４１  シャッター部分、  ４２  支持部、  ４３  操作部、  ４５  支持部、  ５０  位置決め手段、  ５１  リブ、  ５２  突起、  ５２ａ  ストッパ、  ５５  リブ、  ５６  収納部、  ５６ａ，５６ｂ，５６ｃ  リブ。
【図１】
0003736245.tif 000002
【図２】
0003736245.tif 000003
【図３】
0003736245.tif 000004
【図４】
0003736245.tif 000005
【図５】
0003736245.tif 000006
【図６】
0003736245.tif 000007
【図７】
0003736245.tif 000008
【図８】
0003736245.tif 000009
【図９】
0003736245.tif 000010